Podtech/llm-jp-corpus-v4-ja_patent huggingface dataset:
【手続補正書】
【提出日】令和3年4月23日(2021.4.23)
【手続補正１】
【補正対象書類名】特許請求の範囲
【補正対象項目名】全文
【補正方法】変更
【補正の内容】
【特許請求の範囲】
【請求項１】
制御部と送受信部とを備えるUE(User Equipment)であって、
PDU(Protocol Data Unit)セッション確立手続きにおいて、前記送受信部は、確立されるPDUセッションがURLLC(Ultra-Reliable and Low Latency Communications)をサポートするPDUセッションであることを示す情報を含むPDUセッション確立受諾メッセージを、コアネットワーク装置から受信し、
前記制御部は、前記PDUセッション確立手続きにおいて、前記URLLCをサポートするPDUセッションを確立する、
ことを特徴とするUE。
【請求項２】
前記情報が前記PDUセッション確立受諾メッセージに含まれる場合、前記制御部は、確立される前記PDUセッションが、前記URLLCをサポートするPDUセッションであると認識する、
ことを特徴とする請求項１に記載のUE。
【請求項３】
送受信部を備えるコアネットワーク装置であって、
PDU(Protocol Data Unit)セッション確立手続きにおいて、前記送受信部は、確立されるPDUセッションがURLLC(Ultra-Reliable and Low Latency Communications)をサポートするPDUセッションであることを示す情報を含むPDUセッション確立受諾メッセージを、UE(User Equipment)に送信する、
ことを特徴とするコアネットワーク装置。
【請求項４】
前記PDUセッション確立受諾メッセージに含まれる前記情報は、確立される前記PDUセッションが前記URLLCをサポートするPDUセッションであると、前記UEが認識するために使用される、
ことを特徴とする請求項３に記載のコアネットワーク装置。
【請求項５】
UE(User Equipment)によって実行される通信制御方法であって、
PDU(Protocol Data Unit)セッション確立手続きにおいて、前記UEは、確立されるPDUセッションがURLLC(Ultra-Reliable and Low Latency Communications)をサポートするPDUセッションであることを示す情報を含むPDUセッション確立受諾メッセージを、コアネットワーク装置から受信し、
前記UEは、前記PDUセッション確立手続きにおいて、前記URLLCをサポートするPDUセッションを確立する、
ことを特徴とする通信制御方法。
【請求項６】
前記情報が前記PDUセッション確立受諾メッセージに含まれる場合、前記UEは、確立される前記PDUセッションが、前記URLLCをサポートするPDUセッションであると認識する、
ことを特徴とする請求項５に記載の通信制御方法。
【請求項７】
コアネットワークによって実行される通信制御方法であって、
PDU(Protocol Data Unit)セッション確立手続きにおいて、前記コアネットワークは、確立されるPDUセッションがURLLC(Ultra-Reliable and Low Latency Communications)をサポートするPDUセッションであることを示す情報を含むPDUセッション確立受諾メッセージを、UE(User Equipment)に送信する、
ことを特徴とする通信制御方法。
【請求項８】
前記PDUセッション確立受諾メッセージに含まれる前記情報は、確立される前記PDUセッションが前記URLLCをサポートするPDUセッションであると、前記UEが認識するために使用される、
ことを特徴とする請求項７に記載の通信制御方法。
【手続補正書】
【提出日】令和2年11月30日(2020.11.30)
【手続補正１】
【補正対象書類名】特許請求の範囲
【補正対象項目名】全文
【補正方法】変更
【補正の内容】
【特許請求の範囲】
【請求項１】
表示部、取得部及び調整部を備える立体画像表示装置であって、
前記取得部は、前記表示部からユーザーまでの視距離である観測視距離を取得可能に構成され、
前記調整部は、基準視距離及び前記観測視距離に基づいて、前記観測視距離における立体画像の幅及び奥行きが固定されるように、表示画像の表示態様を調整可能に構成され、
前記表示部は、前記調整された表示態様に基づいて前記立体画像を表示する、
立体画像表示装置。
【請求項２】
前記調整部は、以下の制御式１又は制御式２により前記表示画像の表示拡縮を調整する、
＜制御式１＞（Ｒｏ）＝（Ｒｓ×拡縮調整量）
・Ｒｏ：観測視距離における前記表示画像の表示拡縮
・Ｒｓ：基準視距離における前記表示画像の表示拡縮
＜制御式２＞（Ｓｏ）＝（Ｓｓ×拡縮調整量）
・Ｓｏ：観測視距離における前記表示画像のサイズ
・Ｓｓ：基準視距離における前記表示画像のサイズ
請求項１に記載の立体画像表示装置。
【請求項３】
前記拡縮調整量は、前記表示画像と前記表示部の相対的な大きさにより、下限及び／又は上限が設定され、
通知部をさらに備え、
前記通知部は、以下の（１）又は（２）の場合に通知する、請求項２に記載の立体画像表示装置。
（１）前記観測視距離における前記拡縮調整量が前記下限を下回るか前記上限を上回る場合
（２）前記観測視距離における視認サイズについて、前記基準視距離における視認サイズからの変動量がユーザーにより許容される値の範囲外となる場合
【請求項４】
算出部を備え、
前記算出部は、以下の視差調整量を算出可能に構成され、
（視差調整量）＝｛（基準視距離／観測視距離）−１｝×視差
前記調整部は、前記算出された視差調整量を用いて前記表示画像の視差を調整する、
請求項１〜請求項３の何れか１つに記載の立体画像表示装置。
【請求項５】
前記表示部は、右目用画像及び左目用画像を独立して表示可能に構成され、
前記調整部は、右目用画像及び左目用画像を、（１）「視差調整量」又は
（２）「拡縮調整量×視差調整量」に対応する距離まで互いに近づける又は遠ざけるように調整する、
請求項４に記載の立体画像表示装置。
【請求項６】
前記視差調整量は、前記立体画像の結像位置が前記表示部の表示面又は表示面より手前に位置するときを下限とする、
請求項４又は請求項５に記載の立体画像表示装置。
【請求項７】
前記視差調整量は、前記立体画像の結像位置が無限遠に位置するときを上限とする、
請求項４又は請求項５に記載の立体画像表示装置。
【請求項８】
通知部を備え、
前記通知部は、以下の（１）、（２）又は（３）の場合に通知する、請求項６に記載の立体画像表示装置。
（１）前記観測視距離における前記視差調整量が前記下限を下回る場合
（２）前記観測視距離において視認される前記立体画像における幅と奥行きの比率について、前記基準視距離における前記比率からの変動量がユーザーにより許容される値の範囲外となる場合
（３）前記観測視距離における所定の立体画像が結像されなくなる場合
【請求項９】
通知部を備え、
前記通知部は、以下の（１）、（２）又は（３）の場合に通知する、請求項７に記載の立体画像表示装置。
（１）前記観測視距離における前記視差調整量が前記上限を上回る場合
（２）前記観測視距離において視認される前記立体画像における幅と奥行きの比率について、前記基準視距離における前記比率からの変動量がユーザーにより許容される値の範囲外となる場合
（３）前記観測視距離における所定の立体画像が結像されなくなる場合
【請求項１０】
前記視差は、前記表示部における注目領域に含まれる視差のヒストグラムに基づいて決定される、
請求項４〜請求項９の何れか１つに記載の立体画像表示装置。
【請求項１１】
表示部からユーザーまでの視距離である観測視距離を取得する取得ステップと、
基準視距離及び前記観測視距離に基づいて、前記観測視距離における立体画像の幅及び奥行きが固定されるように、表示画像の表示態様を調整する調整ステップと、
前記調整された表示態様に基づいて前記立体画像を表示する表示ステップと、
を備える立体画像表示方法。
【請求項１２】
コンピュータを、
表示部からユーザーまでの視距離である観測視距離を取得する取得部、
基準視距離及び前記観測視距離に基づいて、前記観測視距離における立体画像の幅及び奥行きが固定されるように、表示画像の表示態様を調整する調整部、
前記調整された表示態様に基づいて前記立体画像を表示する表示部、
として機能させるためのプログラム。
【手続補正書】
【提出日】令和3年5月24日(2021.5.24)
【手続補正１】
【補正対象書類名】特許請求の範囲
【補正対象項目名】全文
【補正方法】変更
【補正の内容】
【特許請求の範囲】
【請求項１】
仮想光を照射した影響を撮像画像に反映させる画像処理装置であって、
前記仮想光の影響を前記撮像画像に反映させる前に、前記仮想光の影響を反映させた場合の前記撮像画像に対する第１のホワイトバランス係数を決定する第１の決定手段と、
前記第１の決定手段により決定された前記第１のホワイトバランス係数を用いて、前記撮像画像のホワイトバランスを調整する調整手段と、
前記仮想光の影響を、前記撮像画像の部分領域に反映させる補正を行う補正手段と、
を有する画像処理装置。
【請求項２】
前記第１の決定手段は、前記仮想光の影響を反映させた場合の前記部分領域の輝度値と、前記撮像画像の前記部分領域に含まれない領域の輝度値と、に基づいて、前記第１のホワイトバランス係数を決定する請求項１記載の画像処理装置。
【請求項３】
前記第１の決定手段は、
前記部分領域の色情報に基づいて、第２のホワイトバランス係数を決定し、
前記撮像画像の前記部分領域に含まれない領域の色情報に基づいて、第３のホワイトバランス係数を決定し、
前記第２のホワイトバランス係数と、前記第３のホワイトバランス係数と、前記仮想光の影響を反映させた場合の前記部分領域の輝度値と、前記撮像画像の前記部分領域に含まれない領域の輝度値と、に基づいて、前記第１のホワイトバランス係数を決定する請求項１又は２記載の画像処理装置。
【請求項４】
前記補正手段は、前記調整手段によってホワイトバランスが調整された前記撮像画像に対して、前記仮想光の影響を前記部分領域に反映させる補正を行う請求項１乃至３何れか１項記載の画像処理装置。
【請求項５】
前記撮像画像における環境光の分布情報に基づいて、前記仮想光の光源である仮想光源の色特性を決定する第２の決定手段と、
前記調整手段によってホワイトバランスが調整された前記撮像画像における環境光の分布情報に基づいて、前記仮想光源の色特性を決定する第３の決定手段と、
を更に有し、
前記第１の決定手段は、前記第２の決定手段によって決定された前記仮想光源の色特性に応じた前記仮想光の前記部分領域への影響に基づいて、第１のホワイトバランス係数を決定し、
前記補正手段は、前記調整手段によってホワイトバランスが調整された前記撮像画像を対象として、前記第３の決定手段によって決定された前記仮想光源の色特性に基づいて、前記仮想光の影響を、前記部分領域に反映させる補正を行う請求項１乃至４何れか１項記載の画像処理装置。
【請求項６】
仮想光を照射した影響を撮像画像に反映させる画像処理装置の制御方法であって、
前記仮想光の影響を前記撮像画像に反映させる前に、前記仮想光の影響を反映させた場合の前記撮像画像に対するホワイトバランス係数を決定する決定ステップと、
前記決定ステップにより決定された前記ホワイトバランス係数を用いて、前記撮像画像のホワイトバランスを調整する調整ステップと、
前記仮想光の影響を、前記撮像画像の部分領域に反映させる補正を行う補正ステップと、
を含む画像処理装置の制御方法。
【請求項７】
コンピュータを、請求項１乃至５何れか１項記載の画像処理装置の各手段として機能させるためのプログラム。
【手続補正２】
【補正対象書類名】明細書
【補正対象項目名】０００５
【補正方法】変更
【補正の内容】
【０００５】
本発明の画像処理装置は、仮想光を照射した影響を撮像画像に反映させる画像処理装置であって、前記仮想光の影響を前記撮像画像に反映させる前に、前記仮想光の影響を反映させた場合の前記撮像画像に対する第１のホワイトバランス係数を決定する第１の決定手段と、前記第１の決定手段により決定された前記第１のホワイトバランス係数を用いて、前記撮像画像のホワイトバランスを調整する調整手段と、前記仮想光の影響を、前記撮像画像の部分領域に反映させる補正を行う補正手段と、を有する。
【手続補正書】
【提出日】令和3年5月24日(2021.5.24)
【手続補正１】
【補正対象書類名】特許請求の範囲
【補正対象項目名】全文
【補正方法】変更
【補正の内容】
【特許請求の範囲】
【請求項１】
圧電素子と振動板とからなる振動子と、
該振動子と接触する摩擦接触面を有し、前記振動子が発生する振動により前記振動子と相対移動する摩擦部材と、
第１の案内部材と、第２の案内部材と、前記第１の案内部材と前記第２の案内部材との間に配置された転動部材とを含み、前記相対移動を案内する案内機構と、を備え、
前記第１の案内部材は、前記転動部材と接触する第１の面及び第２の面が設けられた溝部を備え、
前記相対移動の方向において、前記第１の面は前記第２の面よりも長いことを特徴とする、振動波モータ。
【請求項２】
前記第１の面は、前記相対移動の方向において前記第１の案内部材の端部まで連続して設けられることを特徴とする、請求項１に記載の振動波モータ。
【請求項３】
前記第１の案内部材は、前記相対移動の方向において前記転動部材と接触する位置から離れた位置に取り付け面を有し、前記第１の面が前記相対移動の方向において前記取り付け面まで延在していることを特徴とする、請求項１又は２に記載の振動波モータ。
【請求項４】
前記相対移動の方向において、前記取り付け面は、前記第２の面と並ぶ位置に設けられていることを特徴とする、請求項３に記載の振動波モータ。
【請求項５】
前記溝部は、断面がＶ字型であるＶ曲げ構造をしており、前記相対移動の直進案内をすることを特徴とする、請求項１乃至４のいずれか１項に記載の振動波モータ。
【請求項６】
前記第１の案内部材を固定する保持部材を備え、
前記第１の案内部材は、前記保持部材に対して前記相対移動の方向における一方の端部が抑え部材を介して前記保持部材に固定されていることを特徴とする、請求項１乃至５のいずれか１項に記載の振動波モータ。
【請求項７】
前記振動は、超音波領域の周波数の高周波振動であり、前記振動波モータは超音波モータであることを特徴とする、請求項１乃至６のいずれか１項に記載の振動波モータ。
【請求項８】
前記振動子と前記摩擦部材とを加圧接触させる力を付与する加圧手段をさらに備えることを特徴とする、請求項１乃至７のいずれか１項に記載の振動波モータ。
【請求項９】
前記相対移動の方向及び前記加圧手段が付与する力の方向と直交する方向において、前記第１の面は前記第２の面よりも前記振動子に近いことを特徴とする請求項８に記載の振動波モータ。
【請求項１０】
請求項１乃至９のいずれか１項に記載の振動波モータと、
該振動波モータの駆動力が伝達される被駆動部とを有する駆動装置。
【請求項１１】
前記被駆動部は、レンズ保持枠であることを特徴とする、請求項１０に記載の駆動装置。
【請求項１２】
前記被駆動部は、撮像素子であることを特徴とする、請求項１０に記載の駆動装置。
【請求項１３】
前記被駆動部は、ステージであることを特徴とする、請求項１０に記載の駆動装置。
【手続補正書】
【提出日】令和3年5月21日(2021.5.21)
【手続補正１】
【補正対象書類名】特許請求の範囲
【補正対象項目名】全文
【補正方法】変更
【補正の内容】
【特許請求の範囲】
【請求項１】
フレームと、
前記フレームの内面に取り付けられた、環状のマグネットと、
前記フレームに設けられたブラケットと、
カーボンで形成された柱状のブラシと、
前記ブラシの外周面に接触する整流子と、
前記ブラケットに前記ブラシを支持する弾性部材とを備え、
前記弾性部材は前記ブラシの内部にある、モータ。
【請求項２】
前記整流子は、周方向に並ぶ複数の整流子片を備え、
周方向において、前記ブラシの外周面の幅は前記整流子片の幅に対して同じ又は小さい、請求項１に記載のモータ。
【請求項３】
前記ブラケットは、回転軸方向において前記ブラシに対向する開口部を有する、請求項１又は２に記載のモータ。
【請求項４】
前記開口部の内側に前記整流子が配置されており、
径方向において、前記ブラシに対向する前記開口部の一部と、前記整流子と、前記開口部の他の一部が並んでいる、請求項３に記載のモータ。
【請求項５】
前記開口部の平面形状は、長手方向と短手方向とを有する、請求項３又は４に記載のモータ。
【請求項６】
前記ブラケットの外周面には、リブが設けられており、
前記リブは、前記フレームの内面に接触している、請求項１から５のいずれかに記載のモータ。
【請求項７】
前記ブラシを含む複数のブラシと、
前記弾性部材を含む複数の弾性部材とを備え、
回転軸方向において、前記複数のブラシのうち１つのブラシは、他のブラシよりも高い位置にある、請求項１から６のいずれかに記載のモータ。
【請求項８】
前記１つのブラシと前記他のブラシとは接触可能であり、
前記複数の弾性部材のうち、前記１つのブラシを支持する弾性部材と、前記他のブラシを支持する弾性部材とは、交差可能である、請求項７に記載のモータ。
【請求項９】
端子部を備え、
前記ブラケットは壁部を備え、
前記弾性部材は、第１延在部と、第２延在部と、当該第１延在部と当該第２延在部との間にあるコイル部と、を備え、
前記第２延在部の部分は、前記ブラシの内部にあり、
前記第１延在部は前記端子部に固定されており、
前記壁部は前記ブラシと前記端子部との間に配置されている、請求項１に記載のモータ。
【請求項１０】
前記ブラシの外周面は円筒状である、請求項１に記載のモータ。
【請求項１１】
前記ブラシの軸方向において、前記第２延在部は前記ブラシを貫通している、請求項１に記載のモータ。
【請求項１２】
前記回転軸を横切る方向において、前記フレームの内面は、対向する２つの部分を備え、
前記対向する２つの部分の間における距離は、１０ｍｍ以下である、請求項１に記載のモータ。
【手続補正２】
【補正対象書類名】明細書
【補正対象項目名】０００７
【補正方法】変更
【補正の内容】
【０００７】
上記目的を達成するためこの発明のある局面に従うと、モータは、フレームと、フレームの内面に取り付けられた、環状のマグネットと、フレームに設けられたブラケットと、カーボンで形成された柱状のブラシと、ブラシの外周面に接触する整流子と、ブラケットにブラシを支持する弾性部材とを備え、弾性部材はブラシの内部にある。
【手続補正３】
【補正対象書類名】明細書
【補正対象項目名】００１５
【補正方法】変更
【補正の内容】
【００１５】
好ましくは、端子部を備え、ブラケットは壁部を備え、弾性部材は、第１延在部と、第２延在部と、当該第１延在部と当該第２延在部との間にあるコイル部と、を備え、第２延在部の部分は、ブラシの内部にあり、第１延在部は端子部に固定されており、壁部はブラシと端子部との間に配置されている。
好ましくは、ブラシの外周面は円筒状である。
好ましくは、ブラシの軸方向において、第２延在部はブラシを貫通している。
好ましくは、回転軸を横切る方向において、フレームの内面は、対向する２つの部分を備え、対向する２つの部分の間における距離は、１０ｍｍ以下である。
【手続補正４】
【補正対象書類名】明細書
【補正対象項目名】００１６
【補正方法】削除
【補正の内容】
【手続補正書】
【提出日】令和3年4月19日(2021.4.19)
【手続補正１】
【補正対象書類名】特許請求の範囲
【補正対象項目名】全文
【補正方法】変更
【補正の内容】
【特許請求の範囲】
【請求項１】
画像撮像部、体重推定部、出荷判定部および表示部を含み、
前記画像撮像部は、
家畜を撮像し、
前記体重推定部は、
撮像した家畜画像から、画像解析により、前記家畜画像に含まれる家畜一頭ごとにその体重を推定し、
前記出荷判定部は、
出荷可能な体重の上限および下限と、前記推定した推定体重とから、前記家畜一頭ごとに、出荷の可否を判定し、
前記表示部は、
前記家畜画像上に、出荷の可否を表す視覚情報を、前記家畜画像内の前記家畜一頭ごとに紐付けて、表示する、
ことを特徴とする出荷判定表示装置。
【請求項２】
前記出荷判定部は、前記推定体重が上限を超える場合、体重過多により出荷不可と判定し、前記推定体重が下限未満の場合、体重不足により出荷不可と判定し、
前記表示部は、前記推定体重が上限を超える場合、体重過多による出荷不可を表す視覚情報を表示し、前記推定体重が下限未満の場合、体重不足による出荷不可を表す視覚情報を表示する、請求項１に記載の出荷判定表示装置。
【請求項３】
前記表示部は、出荷の可否を表す文字、記号および色からなる群から選択された少なくとも一つの視覚情報を表示する、請求項１または２に記載の出荷判定表示装置。
【請求項４】
さらに、必要日数算出部を含み、
前記必要日数算出部は、前記推定体重が下限未満の場合、一日当たりの体重増加率と、前記出荷可能な体重の下限と、前記推定体重とに基づき、対象の家畜の体重が、前記下限に達するまでに必要な必要日数を算出し、
前記表示部は、前記視覚情報として、あわせて、前記必要日数に基づく前記出荷可能な体重への到達情報を表示する、請求項１から３のいずれか一項に記載の出荷判定表示装置。
【請求項５】
さらに、出荷予定日判定部を含み、
前記出荷予定日判定部は、前記推定体重が下限未満の場合、出荷スケジュールと、前記必要日数とに基づいて、対象の家畜が出荷可能になる最先の出荷日を判定し、
前記表示部は、前記視覚情報として、あわせて、前記最先の出荷日を表示する、請求項４に記載の出荷判定表示装置。
【請求項６】
さらに、体重増加率算出部を含み、
前記体重算出部は、飼育の環境情報および飼料情報に基づいて、一日当たりの体重増加率を算出する、請求項２から５のいずれか一項に記載の出荷判定表示装置。
【請求項７】
画像撮像工程、体重推定工程、出荷判定工程および表示工程を含み、
前記画像撮像工程は、
家畜を撮像し、
前記体重推定工程は、
撮像した家畜画像から、画像解析により、前記家畜画像に含まれる家畜一頭ごとにその体重を推定し、
前記出荷判定工程は、
出荷可能な体重の上限および下限と、前記推定した推定体重とから、前記家畜一頭ごとに、出荷の可否を判定し、
前記表示工程は、
前記家畜画像上に、出荷の可否を表す視覚情報を、前記家畜画像内の前記家畜一頭ごとに紐付けて、表示する、
ことを特徴とする出荷判定表示方法。
【請求項８】
前記出荷判定工程は、前記推定体重が上限を超える場合、体重過多により出荷不可と判定し、前記推定体重が下限未満の場合、体重不足により出荷不可と判定し、
前記表示工程は、前記推定体重が上限を超える場合、体重過多による出荷不可を表す視覚情報を表示し、前記推定体重が下限未満の場合、体重不足による出荷不可を表す視覚情報を表示する、請求項７に記載の出荷判定表示方法。
【請求項９】
請求項７または８に記載の出荷判定表示方法をコンピュータに実行させることを特徴とするプログラム。
【請求項１０】
請求項９に記載のプログラムを記録したコンピュータ読み取り可能な記録媒体。
【手続補正書】
【提出日】令和3年10月1日(2021.10.1)
【手続補正１】
【補正対象書類名】特許請求の範囲
【補正対象項目名】全文
【補正方法】変更
【補正の内容】
【特許請求の範囲】
【請求項１】
遊技者に有利な特別遊技状態にするか否かの判定を行う判定手段と、
前記判定の結果を報知する変動演出を実行可能な演出実行手段と、を備え、
前記演出実行手段は、前記変動演出において、リーチ成立後に実行される演出を示唆する特殊演出図柄を表示することがあることを特徴とする遊技機。
【請求項２】
請求項１に記載の遊技機であって、
前記特殊演出図柄には、前記特別遊技状態になる期待度が異なる複数の種類があり、
前記演出実行手段は、一旦表示した前記特殊演出図柄を、それよりも前記特別遊技状態になる期待度が高い別の特殊演出図柄に変更する図柄昇格演出を実行することがあることを特徴とする遊技機。
【請求項３】
請求項２に記載の遊技機であって、
前記演出実行手段は、前記図柄昇格演出を、前記変動演出においてリーチが成立した後に実行することがあることを特徴とする遊技機。
【請求項４】
請求項２又は請求項３に記載の遊技機であって、
前記演出実行手段は、前記図柄昇格演出を、前記変動演出においてリーチが成立する前に実行することがあることを特徴とする遊技機。
【請求項５】
請求項１から請求項４までのいずれかに記載の遊技機であって、
前記演出実行手段は、前記変動演出において前記特殊演出図柄を表示してから、リーチになるかを煽るリーチ煽り演出を実行可能であることを特徴とする遊技機。
【手続補正２】
【補正対象書類名】明細書
【補正対象項目名】０００６
【補正方法】変更
【補正の内容】
【０００６】
本発明の遊技機は、
遊技者に有利な特別遊技状態にするか否かの判定を行う判定手段と、
前記判定の結果を報知する変動演出を実行可能な演出実行手段と、を備え、
前記演出実行手段は、前記変動演出において、リーチ成立後に実行される演出を示唆する特殊演出図柄を表示することがあることを特徴とする遊技機である。
【手続補正書】
【提出日】令和3年5月28日(2021.5.28)
【手続補正１】
【補正対象書類名】特許請求の範囲
【補正対象項目名】全文
【補正方法】変更
【補正の内容】
【特許請求の範囲】
【請求項１】
振動可能な振動手段と、
表示手段と、
所定の判定条件の成立時に、遊技状態を遊技者に有利な有利遊技状態に設定するか否かを判定可能な判定手段と、
所定の演出を実行可能な演出実行手段と、を備え、
前記演出実行手段は、
前記振動手段を振動可能であり、
前記表示手段に所定の画像を振動させて表示する画像演出を実行可能であり、
前記判定手段による判定結果に基づいて、前記振動手段の振動とともに前記画像演出が行われるときがあることを特徴とする遊技機。
【請求項２】
請求項１に記載の遊技機であって、
前記所定の画像とは、前記表示手段の所定の表示領域全体にわたって表示されるものであることを特徴とする遊技機。
【請求項３】
請求項１または請求項２に記載の遊技機であって、
前記振動手段の振動とは、当該振動手段が振動していることを遊技者に視覚によって認識させ得る態様になっていることを特徴とする遊技機。
【請求項４】
請求項１または請求項２に記載の遊技機であって、
前記振動手段の振動とは、当該振動手段が振動していることを遊技者の接触によって遊技者に認識させ得る態様になっていることを特徴とする遊技機。
【手続補正２】
【補正対象書類名】明細書
【補正対象項目名】０００５
【補正方法】変更
【補正の内容】
【０００５】
本発明の遊技機は、
振動可能な振動手段と、
表示手段と、
所定の判定条件の成立時に、遊技状態を遊技者に有利な有利遊技状態に設定するか否かを判定可能な判定手段と、
所定の演出を実行可能な演出実行手段と、を備え、
前記演出実行手段は、
前記振動手段を振動可能であり、
前記表示手段に所定の画像を振動させて表示する画像演出を実行可能であり、
前記判定手段による判定結果に基づいて、前記振動手段の振動とともに前記画像演出が行われるときがあることを特徴とする。
【手続補正書】
【提出日】令和3年7月27日(2021.7.27)
【手続補正１】
【補正対象書類名】特許請求の範囲
【補正対象項目名】全文
【補正方法】変更
【補正の内容】
【特許請求の範囲】
【請求項１】
遊技球が流下可能な遊技領域を有する遊技盤と、前記遊技盤が装着される枠体とを備えた遊技機において、
複数の駆動源を駆動させることによって、所定の発射位置から遊技球を発射させるとともに、前記遊技領域を流下した遊技球を回収して発射位置に供給する循環機構と、
所定の循環停止条件に基づいて前記循環機構を停止させる循環停止制御手段と、を備え、
前記循環停止制御手段は、
特定の循環停止条件が成立して複数の駆動源のうちの少なくとも一部を停止させても、他の駆動源による駆動を継続させる処理が実行可能である
ことを特徴とする遊技機
【手続補正２】
【補正対象書類名】明細書
【補正対象項目名】０００６
【補正方法】変更
【補正の内容】
【０００６】
上記の目的を達成するため本発明は、請求項１に記載したように、
遊技球が流下可能な遊技領域を有する遊技盤と、前記遊技盤が装着される枠体とを備えた遊技機において、
複数の駆動源を駆動させることによって、所定の発射位置から遊技球を発射させるとともに、前記遊技領域を流下した遊技球を回収して発射位置に供給する循環機構と、
所定の循環停止条件に基づいて前記循環機構を停止させる循環停止制御手段と、を備え、
前記循環停止制御手段は、
特定の循環停止条件が成立して複数の駆動源のうちの少なくとも一部を停止させても、他の駆動源による駆動を継続させる処理が実行可能である遊技機を提供する。
かかる遊技機によれば、少なくとも循環停止条件が成立した装置を停止させ、他の装置の駆動を継続させる処理を実行させることにより、循環再開時に支障が生じないようにすることができる。したがって、循環機構を安全に停止させることができる（段落［０５４５］〜段落［０５９２］、図１０３〜図１１３参照）。
【手続補正書】
【提出日】令和3年7月7日(2021.7.7)
【手続補正１】
【補正対象書類名】特許請求の範囲
【補正対象項目名】全文
【補正方法】変更
【補正の内容】
【特許請求の範囲】
【請求項１】
大当たりの抽選を行う抽選手段と、
前記抽選手段によって大当たりに当選した場合に、大当たり遊技を実行する大当たり遊技手段と、
複数箇所に文字表示が可能な表示手段と、
を備え、
前記表示手段は、
前記複数箇所に文字を順次に表示し、所定の文字表示が成功した場合に、前記所定の文字表示によって示された遊技者にとって有利な恩恵が獲得可能であることを示唆する恩恵示唆演出を実行する、
ことを特徴とする遊技機。
【請求項２】
請求項１に記載する遊技機において、
前記表示手段は、
遊技者に視認し易い第１位置と、前記第１位置よりも遊技者に視認し難い第２位置と、に変位可能であり、
前記恩恵示唆演出の実行を開始する場合、前記第２位置から前記第１位置に移動した後に文字の表示を開始する、
ことを特徴とする遊技機。
【請求項３】
請求項１または請求項２に記載する遊技機において、
前記表示手段は、
前記恩恵示唆演出において個々の文字を表示する際、１つの文字を複数のパートに分割し、前記分割したパートごとに順次に前記１つの文字を表示する、
ことを特徴とする遊技機。
【請求項４】
請求項１から請求項３のいずれか１つに記載する遊技機において、
前記表示手段は、
前記恩恵示唆演出の実行後に、遊技者が獲得した恩恵を示す恩恵獲得演出を実行する、
ことを特徴とする遊技機。
【手続補正２】
【補正対象書類名】明細書
【補正対象項目名】０００７
【補正方法】変更
【補正の内容】
【０００７】
上記の課題を解決するため、本発明の遊技機は、
大当たりの抽選を行う抽選手段と、
前記抽選手段によって大当たりに当選した場合に、大当たり遊技を実行する大当たり遊技手段と、
複数箇所に文字表示が可能な表示手段と、
を備え、
前記表示手段は、
前記複数箇所に文字を順次に表示し、所定の文字表示が成功した場合に、前記所定の文字表示によって示された遊技者にとって有利な恩恵が獲得可能であることを示唆する恩恵示唆演出を実行する、
ことを特徴としている。
【手続補正書】
【提出日】令和3年5月26日(2021.5.26)
【手続補正１】
【補正対象書類名】特許請求の範囲
【補正対象項目名】全文
【補正方法】変更
【補正の内容】
【特許請求の範囲】
【請求項１】
遊技者に有利な特別遊技を実行するか否かの判定を行う判定手段と、
前記特別遊技の後、第１の遊技状態にする場合と、前記第１の遊技状態よりも遊技者に不利な第２の遊技状態にする場合と、がある遊技状態制御手段と、
所定の表示手段を含む演出手段を用いて、所定の演出を実行可能な演出実行手段と、を備え、
前記演出実行手段は、
前記判定の結果に基づいて、所定の演出図柄を前記表示手段に変動表示する変動演出を実行可能であり、
前記変動演出において、前記演出図柄を停止表示する停止演出を実行することがあり、
前記停止演出には、第１の演出態様で前記演出図柄を停止表示する第１停止演出と、前記第１の演出態様とは異なる第２の演出態様で前記演出図柄を停止表示する第２停止演出と、がある、
ことを特徴とする遊技機。
【請求項２】
請求項１に記載の遊技機であって、
前記第２停止演出が実行されて前記特別遊技が実行されたときは、前記第１停止演出が実行されて前記特別遊技が実行されたときよりも、前記特別遊技の後に前記第２の遊技状態になり難い、
ことを特徴とする遊技機。
【手続補正書】
【提出日】令和3年5月26日(2021.5.26)
【手続補正１】
【補正対象書類名】特許請求の範囲
【補正対象項目名】全文
【補正方法】変更
【補正の内容】
【特許請求の範囲】
【請求項１】
遊技者に有利な特別遊技状態にするか否かの判定を行う判定手段と、
所定の表示手段を含む演出手段を用いて、所定の演出を実行可能な演出実行手段と、を備え、
前記演出実行手段は、
前記判定の結果に基づいて、複数の図柄を前記表示手段に変動表示する図柄演出を実行可能であり、
前記図柄演出において、所定の示唆図柄を含む特定の図柄を停止表示した後に、または、前記示唆図柄を含まない非特定の図柄を停止表示した後に、前記特別遊技状態になる可能性があることを示唆する特別演出を実行可能であり、
前記特別演出において、所定の特定演出を実行することがあり、
前記特定の図柄が停止表示されて前記特別演出が実行された場合と、前記非特定の図柄が停止表示されて前記特別演出が実行された場合とで、前記特別演出において前記特定演出が実行さる確率が互いに異なる、
ことを特徴とする遊技機。
【請求項２】
請求項１に記載の遊技機であって、
前記示唆図柄は、前記特定演出を示唆する図柄である、
ことを特徴とする遊技機。
【手続補正２】
【補正対象書類名】明細書
【補正対象項目名】０００７
【補正方法】変更
【補正の内容】
【０００７】
本明細書に開示される遊技機は、遊技者に有利な特別遊技状態にするか否かの判定を行う判定手段と、所定の表示手段を含む演出手段を用いて、所定の演出を実行可能な演出実行手段と、を備え、前記演出実行手段は、前記判定の結果に基づいて、複数の図柄を前記表示手段に変動表示する図柄演出を実行可能であり、前記図柄演出において、所定の示唆図柄を含む特定の図柄を停止表示した後に、または、前記示唆図柄を含まない非特定の図柄を停止表示した後に、前記特別遊技状態になる可能性があることを示唆する特別演出を実行可能であり、前記特別演出において、所定の特定演出を実行することがあり、前記特定の図柄が停止表示されて前記特別演出が実行された場合と、前記非特定の図柄が停止表示されて前記特別演出が実行された場合とで、前記特別演出において前記特定演出が実行さる確率が互いに異なる、ことを特徴としている。
【手続補正書】
【提出日】令和3年5月26日(2021.5.26)
【手続補正１】
【補正対象書類名】特許請求の範囲
【補正対象項目名】全文
【補正方法】変更
【補正の内容】
【特許請求の範囲】
【請求項１】
遊技者に有利な特別遊技を実行するか否かの判定を行う判定手段と、
前記特別遊技の後、第１の遊技状態にする場合と、前記第１の遊技状態よりも遊技者に不利な第２の遊技状態にする場合と、がある遊技状態制御手段と、
所定の演出を実行可能な演出実行手段と、を備え、
前記演出実行手段は、
前記判定の結果に基づいて、前記第２の遊技状態になる可能性があることを示唆する特殊演出を実行可能であり、
前記特殊演出において、前記特別遊技が実行されることを示唆する第１演出を実行するときと、前記特別遊技が実行されることを示唆しない第２演出を実行するときと、があり、
前記第２演出の後に、前記第１の遊技状態になる可能性があることを示唆する特定演出を実行可能であり、
前記特定演出において、前記特別遊技が実行されないことを示唆する第３演出を実行するときと、前記特別遊技が実行されることを示唆する第４演出を実行するときと、がある、
ことを特徴とする遊技機。
【請求項２】
請求項１に記載の遊技機であって、
前記特殊演出において前記第１演出が実行された場合には前記第２の遊技状態になる一方、前記特殊演出において前記第２演出が実行された場合には前記第２の遊技状態にならない、
ことを特徴とする遊技機。
【請求項３】
請求項２に記載の遊技機であって、
前記特定演出において前記第４演出が実行された場合には前記第１の遊技状態になる、
ことを特徴とする遊技機。
【手続補正２】
【補正対象書類名】明細書
【補正対象項目名】０００７
【補正方法】変更
【補正の内容】
【０００７】
本明細書に開示される遊技機は、遊技者に有利な特別遊技を実行するか否かの判定を行う判定手段と、前記特別遊技の後、第１の遊技状態にする場合と、前記第１の遊技状態よりも遊技者に不利な第２の遊技状態にする場合と、がある遊技状態制御手段と、所定の演出を実行可能な演出実行手段と、を備え、前記演出実行手段は、前記判定の結果に基づいて、前記第２の遊技状態になる可能性があることを示唆する特殊演出を実行可能であり、前記特殊演出において、前記特別遊技が実行されることを示唆する第１演出を実行するときと、前記特別遊技が実行されることを示唆しない第２演出を実行するときと、があり、前記第２演出の後に、前記第１の遊技状態になる可能性があることを示唆する特定演出を実行可能であり、前記特定演出において、前記特別遊技が実行されないことを示唆する第３演出を実行するときと、前記特別遊技が実行されることを示唆する第４演出を実行するときと、がある、ことを特徴としている。
【手続補正書】
【提出日】令和3年5月26日(2021.5.26)
【手続補正１】
【補正対象書類名】特許請求の範囲
【補正対象項目名】全文
【補正方法】変更
【補正の内容】
【特許請求の範囲】
【請求項１】
遊技者に有利な特別遊技状態にするか否かの判定を行う判定手段と、
前記判定が行われる前に、前記特別遊技状態になるか否かの先読み判定を行う先読み判定手段と、
所定の演出を実行可能な演出実行手段と、を備え、
前記先読み判定には、特定の示唆演出が実行されることの判定が含まれ、
前記演出実行手段は、
前記判定の結果に基づいて、前記特定の示唆演出を実行可能であり、
前記先読み判定によって前記特定の示唆演出が実行されることが判定された場合、前記特定の示唆演出を実行する前に、所定の先読み演出を実行可能であり、
所定段階から特定段階まで進行可能な進行演出を実行可能にし、
前記特定の示唆演出および前記先読み演出の何れかを実行する際に、前記進行演出を前記特定段階まで進行させることがある、
ことを特徴とする遊技機。
【手続補正２】
【補正対象書類名】明細書
【補正対象項目名】０００７
【補正方法】変更
【補正の内容】
【０００７】
本明細書に開示される遊技機は、遊技者に有利な特別遊技状態にするか否かの判定を行う判定手段と、前記判定が行われる前に、前記特別遊技状態になるか否かの先読み判定を行う先読み判定手段と、所定の演出を実行可能な演出実行手段と、を備え、前記先読み判定には、特定の示唆演出が実行されることの判定が含まれ、前記演出実行手段は、前記判定の結果に基づいて、前記特定の示唆演出を実行可能であり、前記先読み判定によって前記特定の示唆演出が実行されることが判定された場合、前記特定の示唆演出を実行する前に、所定の先読み演出を実行可能であり、所定段階から特定段階まで進行可能な進行演出を実行可能にし、前記特定の示唆演出および前記先読み演出の何れかを実行する際に、前記進行演出を前記特定段階まで進行させることがある、ことを特徴としている。
【手続補正書】
【提出日】令和3年7月7日(2021.7.7)
【手続補正１】
【補正対象書類名】特許請求の範囲
【補正対象項目名】全文
【補正方法】変更
【補正の内容】
【特許請求の範囲】
【請求項１】
大当たりの抽選を行う抽選手段と、
前記抽選手段によって大当たりに当選した場合に、大当たり遊技を実行する大当たり遊技手段と、
所定の演出画像を表示可能な第１表示手段と、
所定の表示を実行する第２表示手段と、
を備え、
前記第２表示手段は、
第１位置と、前記第１位置よりも遊技者から見難い第２位置と、に変位可能であり、
前記第１表示手段にて前記所定の演出画像が表示されている場合、前記第２位置にあり、前記第１表示手段での前記所定の演出画像の表示が終了した後、前記第１位置に移動する、
ことを特徴とする遊技機。
【請求項２】
請求項１に記載の遊技機において、
前記第１表示手段は、
遊技者から見て前記第２表示手段の前記第１位置と重なる位置に、前記所定の演出画像を表示可能である、
ことを特徴とする遊技機。
【請求項３】
請求項１または請求項２に記載の遊技機において、
前記所定の演出画像は楽曲を選択させる演出画像である、
ことを特徴とする遊技機。
【請求項４】
請求項１または請求項２に記載の遊技機において、
前記所定の演出画像は演出モードを選択させる演出画像である、
ことを特徴とする遊技機。
【請求項５】
請求項１から請求項４のいずれか１つに記載する遊技機において、
前記第２位置では、前記第２表示手段が表示する文字の少なくとも一部が遊技者から視認可能であり、
前記第２表示手段は、
前記第１表示手段にて前記所定の演出画像が表示されている場合であっても、前記所定の表示を実行する、
ことを特徴とする遊技機。
【請求項６】
請求項１から請求項４のいずれか１つに記載する遊技機において、
前記第２表示手段は、
前記第２位置にある場合には前記所定の表示を実行せず、前記第１位置に移動した後に前記所定の表示を実行する、
ことを特徴とする遊技機。
【手続補正２】
【補正対象書類名】明細書
【補正対象項目名】０００７
【補正方法】変更
【補正の内容】
【０００７】
上記の課題を解決するため、本発明の遊技機は、
大当たりの抽選を行う抽選手段と、
前記抽選手段によって大当たりに当選した場合に、大当たり遊技を実行する大当たり遊技手段と、
所定の演出画像を表示可能な第１表示手段と、
所定の表示を実行する第２表示手段と、
を備え、
前記第２表示手段は、
第１位置と、前記第１位置よりも遊技者から見難い第２位置と、に変位可能であり、
前記第１表示手段にて前記所定の演出画像が表示されている場合、前記第２位置にあり、前記第１表示手段での前記所定の演出画像の表示が終了した後、前記第１位置に移動する、
ことを特徴としている。
【手続補正書】
【提出日】令和3年3月23日(2021.3.23)
【手続補正１】
【補正対象書類名】特許請求の範囲
【補正対象項目名】全文
【補正方法】変更
【補正の内容】
【特許請求の範囲】
【請求項１】
中空状のシャフトと、
前記シャフトの基端に設けられた把持部と、を備えるダイレータであって、
前記シャフトは、
先端の外径が基端の外径よりも小さいテーパ部と、
前記テーパ部の基端側に設けられ基端側へ延びる基端部と、を有し、
前記シャフトの外周面に、螺旋状の凸部が設けられ、
前記螺旋状の凸部は、前記シャフトの軸に沿って隣り合う部分に隙間を有し、
前記テーパ部に設けられた前記螺旋状の凸部の前記軸に沿って隣り合う部分のピッチは、前記基端部に設けられた前記螺旋状の凸部の前記軸に沿って隣り合う部分のピッチよりも小さく、
前記シャフトは、素線を中空形状に巻き回した第１コイルから構成され、
前記螺旋状の凸部は、素線を前記シャフトの外周面に巻き回した第２コイルから構成されるダイレータ。
【請求項２】
中空状のシャフトと、
前記シャフトの基端に設けられた把持部と、を備えるダイレータであって、
前記シャフトは、
先端の外径が基端の外径よりも小さいテーパ部と、
前記テーパ部の先端側に設けられ先端側へ延びる先端部および前記テーパ部の基端側
に設けられ基端側へ延びる基端部と、を有し、
前記シャフトの外周面に、螺旋状の凸部が設けられ、
前記螺旋状の凸部は、前記シャフトの軸に沿って隣り合う部分に隙間を有し、
前記テーパ部に設けられた前記螺旋状の凸部の前記軸に沿って隣り合う部分のピッチは、前記先端部または前記基端部に設けられた前記螺旋状の凸部の前記軸に沿って隣り合う部分のピッチよりも小さく、
前記シャフトは、素線を中空形状に巻き回した第１コイルから構成され、
前記螺旋状の凸部は、素線を前記シャフトの外周面に巻き回した第２コイルから構成されるダイレータ。
【請求項３】
中空状のシャフトと、
前記シャフトの基端に設けられた把持部と、を備えるダイレータであって、
前記シャフトは、
先端の外径が基端の外径よりも小さいテーパ部と、
前記テーパ部の先端側に設けられ先端側へ延びる先端部および前記テーパ部の基端側
に設けられ基端側へ延びる基端部と、を有し、
前記シャフトの外周面に、螺旋状の凸部が設けられ、
前記螺旋状の凸部は、前記シャフトの軸に沿って隣り合う部分に隙間を有し、
前記テーパ部に設けられた前記螺旋状の凸部の前記軸方向に沿って隣り合う部分のピッチは、前記先端部に設けられた前記螺旋状の凸部の前記軸方向に沿って隣り合う部分のピッチよりも小さく、かつ、前記基端部に設けられた前記螺旋状の凸部の前記軸方向に沿って隣り合う部分のピッチよりも小さく、
前記シャフトは、素線を中空形状に巻き回した第１コイルから構成され、
前記螺旋状の凸部は、素線を前記シャフトの外周面に巻き回した第２コイルから構成されるダイレータ。
【請求項４】
前記第１コイル及び前記第２コイルの各素線が互いに反対向きに巻き回されている請求項１から請求項３のいずれか一項に記載のダイレータ。
【手続補正書】
【提出日】令和3年1月6日(2021.1.6)
【手続補正１】
【補正対象書類名】特許請求の範囲
【補正対象項目名】全文
【補正方法】変更
【補正の内容】
【特許請求の範囲】
【請求項１】
ブロック玩具であって、
ブロック制御装置と、
前記ブロック制御装置に接続された、識別子を有する一又は二以上の玩具用ブロックであって、互いが数珠繋ぎで接続され、ユーザによってそれぞれを区別するように認識される二以上の玩具用ブロックと、
を備え、
前記ブロック制御装置は、前記二以上の玩具用ブロックと前記二以上のコンテンツデータとの対応関係を記憶し、前記二以上の玩具用ブロックの接続順序と前記二以上の玩具用ブロックに関連付けされている前記二以上のコンテンツデータとを対応付け、前記ブロックに関連付けされているコンテンツデータと前記ブロックとの対応関係の少なくとも一部を入れ替えるように構成され、コンテンツは、前記二以上のコンテンツデータを前記接続順序で実行又は再生することにより形成される、ブロック玩具。
【請求項２】
ブロック制御装置であって、
互いが数珠繋ぎで接続され、識別子を有する二以上の玩具用ブロックであって、ユーザによってそれぞれを区別するように認識される一又は二以上の玩具用ブロックに接続され、
前記ブロック制御装置は、前記二以上の玩具用ブロックと前記二以上のコンテンツデータとの対応関係を記憶し、前記二以上の玩具用ブロックの接続順序と前記二以上の玩具用ブロックに関連付けされている前記二以上のコンテンツデータとを対応付け、前記ブロックに関連付けされているコンテンツデータと前記ブロックとの対応関係の少なくとも一部を入れ替えるように構成され、コンテンツは、前記二以上のコンテンツデータを前記接続順序で実行又は再生することにより形成される、ブロック制御装置。
【手続補正書】
【提出日】令和2年11月16日(2020.11.16)
【手続補正１】
【補正対象書類名】特許請求の範囲
【補正対象項目名】全文
【補正方法】変更
【補正の内容】
【特許請求の範囲】
【請求項１】
外部配線が接続されるコネクタと、
通信回路と、
前記コネクタと前記通信回路間を接続する差動信号線と、
前記差動信号線に挿入されるコモンモードフィルタと、
前記差動信号線上の前記コネクタと前記コモンモードフィルタ間の接続点と、所定の固定電位間に接続されるＥＳＤ（Electro-Static Discharge）保護素子と、を備え、
前記ＥＳＤ保護素子が保護動作を開始する動作開始電圧が６０〜８００Ｖの範囲内に設定されている通信装置。
【請求項２】
前記ＥＳＤ保護素子は、
前記動作開始電圧を超える電圧が印加されると電流が流れ出し、
前記電流の値の上昇とともに両端電圧がクランプ電圧まで低下する、
請求項１に記載の通信装置。
【請求項３】
前記ＥＳＤ保護素子はＥＳＤサプレッサであり、
前記ＥＳＤサプレッサが保護動作を開始する動作開始電圧が１００〜８００Ｖの範囲内に設定されている請求項１に記載の通信装置。
【請求項４】
前記ＥＳＤ保護素子はＥＳＤサプレッサであり、
前記ＥＳＤサプレッサが保護動作を開始するが保護動作を開始する動作開始電圧が１００〜６００Ｖの範囲内に設定されている請求項１に記載の通信装置。
【請求項５】
前記ＥＳＤサプレッサは、
前記動作開始電圧を超える電圧が印加されると電流が流れ出し、
前記電流の値の上昇とともに両端電圧がクランプ電圧まで低下する、
請求項３または請求項４に記載の通信装置。
【請求項６】
前記ＥＳＤ保護素子はバリスタまたはツェナーダイオードであり、
前記バリスタまたは前記ツェナーダイオードが保護動作を開始する動作開始電圧が６０〜１２０Ｖの範囲内に設定されている請求項１に記載の通信装置。
【手続補正書】
【提出日】令和3年4月21日(2021.4.21)
【手続補正１】
【補正対象書類名】特許請求の範囲
【補正対象項目名】全文
【補正方法】変更
【補正の内容】
【特許請求の範囲】
【請求項１】
撮影した対象物の識別情報を表示装置に表示する画像処理装置であって、
前記対象物を撮影して得られた撮影画像を受け付ける画像受付部と、
前記撮影画像を処理することによって前記対象物の識別情報を検出する検出部と、
前記撮影画像と前記識別情報とを合成した合成画像を生成して前記表示装置に表示させる合成画像生成部と、
を備え、
前記合成画像は、前記撮影画像内の前記対象物に前記識別情報が重ねられている、画像処理装置。
【請求項２】
請求項１に記載の画像処理装置であって、
前記識別情報は数字又は文字である、画像処理装置。
【請求項３】
請求項１又は２に記載の画像処理装置であって、
前記識別情報の色は、前記識別情報の背景の色と互いに補色である、画像処理装置。
【請求項４】
請求項１〜３のいずれか一項に記載の画像処理装置であって、
前記画像受付部は、前記対象物が撮影された複数の撮影画像を順次受け付け、
前記検出部と前記合成画像生成部は、前記撮影画像に対して前記撮影画像の処理と前記合成画像の生成とを順次実行し、
前記合成画像生成部は、第１対象物が含まれる第１撮影画像に対する処理結果の第１統計情報を生成し、前記第１統計情報を含む第１合成画像を生成する、画像処理装置。
【請求項５】
請求項４に記載の画像処理装置であって、
前記合成画像生成部は、前記第１統計情報と、第２対象物が含まれる第２撮影画像に対する処理結果を含めた第２統計情報を生成し、前記第２統計情報を含む第２合成画像を生成する、画像処理装置。
【請求項６】
請求項５に記載の画像処理装置であって、
前記第１統計情報または前記第２統計情報は、前記識別情報を検出できなかった回数を含む、画像処理装置。
【請求項７】
ロボットと、
前記ロボットに接続された請求項１〜６のいずれか一項に記載の画像処理装置を含む制御装置と、
を備えるロボットシステム。
【手続補正２】
【補正対象書類名】明細書
【補正対象項目名】発明の名称
【補正方法】変更
【補正の内容】
【発明の名称】画像処理装置、及び、ロボットシステム
【手続補正３】
【補正対象書類名】明細書
【補正対象項目名】０００１
【補正方法】変更
【補正の内容】
【０００１】
本発明は、画像処理装置、及び、ロボットシステムに関するものである。
【手続補正書】
【提出日】令和3年9月13日(2021.9.13)
【手続補正１】
【補正対象書類名】特許請求の範囲
【補正対象項目名】全文
【補正方法】変更
【補正の内容】
【特許請求の範囲】
【請求項１】
ライブ会場で行われるライブ演奏に係る演奏音または歌唱音がトラック毎の複数のオーディオデータとして記録されたマルチトラックデータを出力する出力装置と、
前記マルチトラックデータに含まれる前記複数のオーディオデータのうちアコースティック楽器のオーディオデータに基づいて、前記ライブ会場と異なる再生会場のアコースティック楽器を加振して発音させる加振装置と、
前記複数のオーディオデータに基づいて、前記演奏音または歌唱音を出力する前記再生会場に設置されたスピーカと、
を備えた再生システム。
【請求項２】
前記スピーカは、メインスピーカと、楽器用アンプスピーカと、を含む、
請求項１に記載の再生システム。
【請求項３】
前記マルチトラックデータは、演奏者または歌唱者を撮影した映像データを含み、
前記再生会場に設置された楽器または前記楽器用アンプスピーカの近傍に前記演奏者または歌唱者の映像データを投影する投影機を備えた、
請求項２に記載の再生システム。
【請求項４】
前記マルチトラックデータは、信号処理パラメータを含み、
前記信号処理パラメータに基づいて、前記複数のオーディオデータを処理し、信号処理後のオーディオデータを前記加振装置および前記スピーカに出力する信号処理装置をさらに備える、
請求項１乃至請求項３のいずれかに記載の再生システム。
【請求項５】
前記マルチトラックデータに含まれる前記複数のオーディオデータのうち前記加振装置に入力されるトラックのオーディオデータに基づいて、前記演奏音を出力する補助スピーカを備える、
請求項１乃至請求項４のいずれかに記載の再生システム。
【請求項６】
前記マルチトラックデータは、前記ライブ演奏の開始からの経過時間を示す時間情報を含む、
請求項１乃至請求項５のいずれかに記載の再生システム。
【請求項７】
前記トラック毎のオーディオデータに遅延を付与する遅延部を備えた、
請求項１乃至請求項６のいずれかに記載の再生システム。
【請求項８】
ライブ会場で行われるライブ演奏に係る演奏音または歌唱音がトラック毎の複数のオーディオデータとして記録されたマルチトラックデータを入力し、
前記マルチトラックデータに含まれる前記複数のオーディオデータのうちアコースティック楽器のオーディオデータに基づいて、前記ライブ会場と異なる再生会場のアコースティック楽器を加振して発音させ、
前記複数のオーディオデータに基づいて、前記演奏音または歌唱音を前記再生会場に設置されたスピーカから出力する、
再生方法。
【請求項９】
前記演奏音を楽器用アンプスピーカから出力する、
請求項８に記載の再生方法。
【請求項１０】
前記マルチトラックデータは、演奏者または歌唱者を撮影した映像データを含み、
前記再生会場に設置された楽器または前記楽器用アンプスピーカの近傍に前記演奏者または歌唱者の映像データを投影する、
請求項９に記載の再生方法。
【請求項１１】
前記マルチトラックデータは、信号処理パラメータを含み、
前記信号処理パラメータに基づいて、前記複数のオーディオデータを処理し、
信号処理後のオーディオデータに基づいて、前記アコースティック楽器を加振して発音させ、
信号処理後のオーディオデータに基づいて、前記演奏音または歌唱音を出力する、
請求項８乃至請求項１０のいずれかに記載の再生方法。
【請求項１２】
前記マルチトラックデータに含まれる前記複数のオーディオデータのうち前記アコースティック楽器を加振させるためのトラックのオーディオデータに基づいて、前記演奏音を補助スピーカから出力する、
請求項８乃至請求項１１のいずれかに記載の再生方法。
【請求項１３】
前記マルチトラックデータは、前記ライブ演奏の開始からの経過時間を示す時間情報を含む、
請求項８乃至請求項１２のいずれかに記載の再生方法。
【請求項１４】
前記トラック毎のオーディオデータに遅延を付与する、
請求項８乃至請求項１３のいずれかに記載の再生方法。